(57)【特許請求の範囲】
【請求項１】
所定方向に延びる一対の大引間に設置された組立浴槽体と、前記組立浴槽体に隣接して設置された浴室用床構造体とを備え、
前記組立浴槽体は、浴槽空間を規定するための浴槽ユニットと、前記浴槽空間に入る段差状空間を規定するための段差ユニットとを含み、前記浴槽ユニットと前記段差ユニットとが連結され、
前記浴槽ユニットは、複数のフレーム材により構成された浴槽用フレーム体と、前記浴槽用フレーム体に取り付けられた浴槽用パネルと、前記浴槽用パネルの表面に設けられた浴槽用防水部材とを備え、前記浴槽用防水部材の内側に前記浴槽空間が規定され、
また、前記段差ユニットは、複数のフレーム材により構成された段差用フレーム体と、前記段差用フレーム体に取り付けられた段差用パネルと、前記段差用パネルの表面に設けられた段差用防水部材とを備え、前記段差用防水部材の内側に前記段差状空間が規定され、
更に、前記浴槽ユニットの前記浴槽用フレーム体には、両側に突出する第１及び第２浴槽用被支持手段が設けられ、前記第１及び第２浴槽用被支持手段が前記一対の大引に載置固定され、また前記段差ユニットの前記段差用フレーム体には、両側に突出する第１及び第２段差用被支持手段が設けられ、前記第１及び第２段差用被支持手段が前記一対の大引に載置固定されることを特徴とする入浴設備。
【請求項２】
前記浴槽ユニットの前記第１浴槽用被支持手段は、前記浴槽用フレーム体の片側にて前記所定方向に間隔をおいて配設された複数の第１浴槽用被支持部材を備え、前記複数の第１浴槽用被支持部材が前記一対の大引の一方に載置固定され、前記浴槽ユニットの前記第２浴槽用被支持手段は、前記浴槽用フレーム体の他側にて前記所定方向に間隔をおいて配設された複数の第２浴槽用被支持部材を備え、前記複数の第２浴槽用被支持部材が前記一対の大引の他方に載置固定されることを特徴とする請求項１に記載の入浴設備。
【請求項３】
前記段差ユニットの前記第１段差用被支持手段は、前記段差用フレーム体の片側にて前記所定方向に間隔をおいて配設された複数の第１段差用被支持部材を備え、前記複数の第１段差用被支持部材が前記一対の大引の一方に載置固定され、前記段差ユニットの前記第２段差用被支持手段は、前記段差用フレーム体の他側にて前記所定方向に間隔をおいて配設された複数の第２段差用被支持部材を備え、前記複数の第２段差用被支持部材が前記一対の大引の他方に載置固定されることを特徴とする請求項１に記載の入浴設備。
【請求項４】
前記浴槽ユニットの前記浴槽用フレーム体は、上下方向に延びる浴槽用縦フレーム材と、前記所定方向に延びる浴槽用側フレーム材と、前記所定方向に対して垂直な横方向に延びる浴槽用横フレーム材から構成され、前記浴槽用側フレーム材が長さ調整可能に構成されていることを特徴とする請求項１に記載の入浴設備。
【請求項５】
前記浴槽ユニットの前記浴槽用フレーム体は、上下方向に延びる浴槽用縦フレーム材と、前記所定方向に延びる浴槽用側フレーム材と、前記所定方向に対して垂直な横方向に延びる浴槽用横フレーム材から構成され、また前記段差ユニットの前記段差用フレーム体は、上下方向に延びる段差用縦フレーム材と、前記所定方向に延びる段差用側フレーム材と、前記所定方向に対して垂直な横方向に延びる段差用横フレーム材から構成され、前記浴槽用フレーム体の前記浴槽用横フレーム材及び前記段差用フレーム体の前記段差用横フレーム材が長さ調整可能に構成されていることを特徴とする請求項１に記載の入浴設備。
【請求項６】
前記浴槽ユニットの前記浴槽用フレーム体及び前記段差ユニットの前記段差用フレーム体は、断面がＬ字形状であるフレーム材を相互に連結して構成されることを特徴とする請求項１に記載の入浴設備。
【請求項７】
相互に対向する一対の浴槽支持部材間に設置された組立浴槽体と、前記組立浴槽体に隣接して設置された浴室用床構造体とを備え、
前記組立浴槽体は、浴槽空間を規定するための浴槽ユニットと、前記浴槽空間に入る段差状空間を規定するための段差ユニットとを含み、前記浴槽ユニットと前記段差ユニットとが連結され、
前記浴槽ユニットは、複数のフレーム材により構成された浴槽用フレーム体と、前記浴槽用フレーム体に取り付けられた浴槽用パネルと、前記浴槽用パネルの表面に設けられた浴槽用防水部材とを備え、前記浴槽用防水部材の内側に前記浴槽空間が規定され、
また、前記段差ユニットは、複数のフレーム材により構成された段差用フレーム体と、前記段差用フレーム体に取り付けられた段差用パネルと、前記段差用パネルの表面に設けられた段差用防水部材とを備え、前記段差用防水部材の内側に前記段差状空間が規定され、
更に、前記浴槽ユニットの前記浴槽用フレーム体及び／又は前記段差ユニットの前記段差用フレーム体には、前記一対の浴槽支持部材側に対応して一対の浴槽被支持手段が設けられ、前記一対の浴槽被支持手段が前記壁面側の前記一対の浴槽支持部材に載置固定さることを特徴とする入浴設備。
【請求項８】
前記一対の浴槽支持部材は室内の対向する壁面に取り付けられ、前記対向する壁面間を接続する一側壁面に補助浴槽支持部材が取り付けられ、前記浴槽ユニットの前記浴槽用フレーム体及び／又は前記段差ユニットの前記段差用フレーム体には、前記一対の浴槽支持部材側に対応して前記一対の浴槽被支持手段が設けられているとともに、前記補助浴槽支持部材に対応して補助浴槽被支持手段が設けられ、前記一対の浴槽被支持手段が前記壁面側の前記一対の浴槽支持部材に載置固定され、前記補助浴槽被支持手段が前記一側壁面側の前記補助浴槽支持部材に載置固定されることを特徴とする請求項７に記載の入浴設備。
【請求項９】
浴槽空間を規定するための浴槽ユニットと、前記浴槽空間に入る段差状空間を規定するための段差ユニットとを含み、
前記浴槽ユニットは、複数のフレーム材により構成された浴槽用フレーム体と、前記浴槽用フレーム体に取り付けられた浴槽用パネルと、前記浴槽用パネルの表面に設けられた浴槽用防水部材とを備え、前記浴槽用防水部材の内側に前記浴槽空間が規定され、
また、前記段差ユニットは、複数のフレーム材により構成された段差用フレーム体と、前記段差用フレーム体に取り付けられた段差用パネルと、前記段差用パネルの表面に設けられた段差用防水部材とを備え、前記段差用防水部材の内側に前記段差状空間が規定され、
前記浴槽ユニットの前記浴槽用フレーム体と前記段差ユニットの前記段差用フレーム体とが相互に連結されることを特徴とする組立浴槽体。
【発明の詳細な説明】
【技術分野】
【０００１】
本発明は、一戸建て家屋などの居室をリフォームして入浴設備を好都合に設置することができる入浴設備及びこれに用いる組立浴槽体に関する。
【背景技術】
【０００２】
身体の不自由な身体障害者、介護の必要な介護老人（以下、総称して「要介護人」という）は、生活空間である居室にベッドなどをおいて日常生活をしている。このような要介護人は、自分で自由に移動するのが難しく、例えば、入浴する際には介護人が要介護人を浴室まで運んで入浴させている。
【０００３】
このようなことから、入浴の際の介護人の負担を少なくするために、要介護人の生活空間である居室に設置するための入浴設備が提案されている（例えば、特許文献１参照）。この入浴設備では、居室の一部、例えば畳が敷かれた領域の横に入浴設備が設置され、この入浴設備は、建屋の地盤にモルタルを介して埋設された防水パン（浴槽として機能する）と、この防水パンの開口部を覆う蓋部材とを備え、この蓋部材の表側が通常の床として機能し、その裏側が防水用の床（防水床パン）として機能するように構成されている。
【０００４】
この入浴設備では、居室の一部に入浴設備が設けられるので、居室で生活する要介護人を入浴させる際には、生活場所（例えば、居室に置いたベッド）から入浴場所、即ち入浴設備までの移動距離が少なく、大きな負担なく要介護人を入浴させることができる。
【先行技術文献】
【特許文献】
【０００５】
【特許文献１】特開平８−１７０４３４号公報
【発明の概要】
【発明が解決しようとする課題】
【０００６】
しかしながら、上述した入浴設備には、次の通りの解決すべき問題がある。第１に、地盤にモルタル施工を行った後にこのモルタルの上に防水パン（浴槽）を設置する構成である故に、その施工工事が煩雑であるとともに、リフォームの際に狭い空間でもって多くの作業をしなければならない。第２に、設置した入浴設備が不要となって解体する場合、防水パンをモルタルで固定しているために、居室を元の状態に戻すのが容易でなく、元に戻す際に防水パンを破損させるおそれがある。
【０００７】
本発明の目的は、一戸建家屋における居室、浴室などのリフォーム施工でもって比較的容易に設置及び解体を行うことができる入浴設備を提供することである。
【０００８】
本発明の他の目的は、一戸建家屋における居室、浴室などのリフォーム施工でもって比較的容易に設置することができる入浴設備の施工方法を提供することである。
【０００９】
本発明の更に他の目的は、比較的容易に組立、解体することができる組立浴槽体を提供することである。
【課題を解決するための手段】
【００１０】
本発明の請求項１に記載の入浴設備は、所定方向に延びる一対の大引間に設置された組立浴槽体と、前記組立浴槽体に隣接して設置された浴室用床構造体とを備え、
前記組立浴槽体は、浴槽空間を規定するための浴槽ユニットと、前記浴槽空間に入る段差状空間を規定するための段差ユニットとを含み、前記浴槽ユニットと前記段差ユニットとが連結され、
前記浴槽ユニットは、複数のフレーム材により構成された浴槽用フレーム体と、前記浴槽用フレーム体に取り付けられた浴槽用パネルと、前記浴槽用パネルの表面に設けられた浴槽用防水部材とを備え、前記浴槽用防水部材の内側に前記浴槽空間が規定され、
また、前記段差ユニットは、複数のフレーム材により構成された段差用フレーム体と、前記段差用フレーム体に取り付けられた段差用パネルと、前記段差用パネルの表面に設けられた段差用防水部材とを備え、前記段差用防水部材の内側に前記段差状空間が規定され、
更に、前記浴槽ユニットの前記浴槽用フレーム体には、両側に突出する第１及び第２浴槽用被支持手段が設けられ、前記第１及び第２浴槽用被支持手段が前記一対の大引に載置固定され、また前記段差ユニットの前記段差用フレーム体には、両側に突出する第１及び第２段差用被支持手段が設けられ、前記第１及び第２段差用被支持手段が前記一対の大引に載置固定されることを特徴とする。
【００１１】
また、本発明の請求項２に記載の入浴設備では、前記浴槽ユニットの前記第１浴槽用被支持手段は、前記浴槽用フレーム体の片側にて前記所定方向に間隔をおいて配設された複数の第１浴槽用被支持部材を備え、前記複数の第１浴槽用被支持部材が前記一対の大引の一方に載置固定され、前記浴槽ユニットの前記第２浴槽用被支持手段は、前記浴槽用フレーム体の他側にて前記所定方向に間隔をおいて配設された複数の第２浴槽用被支持部材を備え、前記複数の第２浴槽用被支持部材が前記一対の大引の他方に載置固定されることを特徴とする。
【００１２】
また、本発明の請求項３に記載の入浴設備では、前記段差ユニットの前記第１段差用被支持手段は、前記段差用フレーム体の片側にて前記所定方向に間隔をおいて配設された複数の第１段差用被支持部材を備え、前記複数の第１段差用被支持部材が前記一対の大引の一方に載置固定され、前記段差ユニットの前記第２段差用被支持手段は、前記段差用フレーム体の他側にて前記所定方向に間隔をおいて配設された複数の第２段差用被支持部材を備え、前記複数の第２段差用被支持部材が前記一対の大引の他方に載置固定されることを特徴とする。
【００１３】
また、本発明の請求項４に記載の入浴設備では、前記浴槽ユニットの前記浴槽用フレーム体は、上下方向に延びる浴槽用縦フレーム材と、前記所定方向に延びる浴槽用側フレーム材と、前記所定方向に対して垂直な横方向に延びる浴槽用横フレーム材から構成され、前記浴槽用側フレーム材が長さ調整可能に構成されていることを特徴とする。
【００１４】
また、本発明の請求項５に記載の入浴設備では、前記浴槽ユニットの前記浴槽用フレーム体は、上下方向に延びる浴槽用縦フレーム材と、前記所定方向に延びる浴槽用側フレーム材と、前記所定方向に対して垂直な横方向に延びる浴槽用横フレーム材から構成され、また前記段差ユニットの前記段差用フレーム体は、上下方向に延びる段差用縦フレーム材と、前記所定方向に延びる段差用側フレーム材と、前記所定方向に対して垂直な横方向に延びる段差用横フレーム材から構成され、前記浴槽用フレーム体の前記浴槽用横フレーム材及び前記段差用フレーム体の前記段差用横フレーム材が長さ調整可能に構成されていることを特徴とする。
【００１５】
また、本発明の請求項６に記載の入浴設備では、前記浴槽ユニットの前記浴槽用フレーム体及び前記段差ユニットの前記段差用フレーム体は、断面がＬ字形状であるフレーム材を相互に連結して構成されることを特徴とする。
また、本発明の請求項７に記載の入浴設備は、相互に対向する一対の浴槽支持部材間に設置された組立浴槽体と、前記組立浴槽体に隣接して設置された浴室用床構造体とを備え、
前記組立浴槽体は、浴槽空間を規定するための浴槽ユニットと、前記浴槽空間に入る段差状空間を規定するための段差ユニットとを含み、前記浴槽ユニットと前記段差ユニットとが連結され、
前記浴槽ユニットは、複数のフレーム材により構成された浴槽用フレーム体と、前記浴槽用フレーム体に取り付けられた浴槽用パネルと、前記浴槽用パネルの表面に設けられた浴槽用防水部材とを備え、前記浴槽用防水部材の内側に前記浴槽空間が規定され、
また、前記段差ユニットは、複数のフレーム材により構成された段差用フレーム体と、前記段差用フレーム体に取り付けられた段差用パネルと、前記段差用パネルの表面に設けられた段差用防水部材とを備え、前記段差用防水部材の内側に前記段差状空間が規定され、
更に、前記浴槽ユニットの前記浴槽用フレーム体及び／又は前記段差ユニットの前記段差用フレーム体には、前記一対の浴槽支持部材側に対応して一対の浴槽被支持手段が設けられ、前記一対の浴槽被支持手段が前記壁面側の前記一対の浴槽支持部材に載置固定さることを特徴とする。
また、本発明の請求項８に記載の入浴設備では、前記一対の浴槽支持部材は室内の対向する壁面に取り付けられ、前記対向する壁面間を接続する一側壁面に補助浴槽支持部材が取り付けられ、前記浴槽ユニットの前記浴槽用フレーム体及び／又は前記段差ユニットの前記段差用フレーム体には、前記一対の浴槽支持部材側に対応して前記一対の浴槽被支持手段が設けられているとともに、前記補助浴槽支持部材に対応して補助浴槽被支持手段が設けられ、前記一対の浴槽被支持手段が前記壁面側の前記一対の浴槽支持部材に載置固定され、前記補助浴槽被支持手段が前記一側壁面側の前記補助浴槽支持部材に載置固定されることを特徴とする。
更に、本発明の請求項９に記載の組立浴槽体は、浴槽空間を規定するための浴槽ユニットと、前記浴槽空間に入る段差状空間を規定するための段差ユニットとを含み、
前記浴槽ユニットは、複数のフレーム材により構成された浴槽用フレーム体と、前記浴槽用フレーム体に取り付けられた浴槽用パネルと、前記浴槽用パネルの表面に設けられた浴槽用防水部材とを備え、前記浴槽用防水部材の内側に前記浴槽空間が規定され、
また、前記段差ユニットは、複数のフレーム材により構成された段差用フレーム体と、前記段差用フレーム体に取り付けられた段差用パネルと、前記段差用パネルの表面に設けられた段差用防水部材とを備え、前記段差用防水部材の内側に前記段差状空間が規定され、
前記浴槽ユニットの前記浴槽用フレーム体と前記段差ユニットの前記段差用フレーム体とが相互に連結されることを特徴とする。
【発明の効果】
【００１６】
本発明の請求項１に記載の入浴設備によれば、組立浴槽体は一対の大引間に設置され、また浴室用床構造体は組立浴槽体に隣接して設置されるので、一戸建て家屋のリフォームでもって居室の一部に入浴設備を比較的容易に設置することができ、また設置した入浴設備の解体も比較的容易に行うことができる。また、組立浴槽体は、浴槽空間を規定するための浴槽ユニットと、段差状空間を規定するための段差ユニットとを含み、浴槽ユニットと段差ユニットとが連結されるので、組立浴槽体の組付け、設置及び解体を容易に行うことができる。更に、浴槽ユニットの浴槽用フレーム体に第１及び第２浴槽用被支持手段が設けられているので、この第１及び第２浴槽用被支持手段を一対の大引に載置固定することによって、浴槽ユニットを容易に設置することができ、また段差ユニットの段差用フレーム体に第１及び第２段差用被支持手段が設けられているので、この第１及び第２段差用被支持手段を一対の大引に載置固定することによって、浴槽用段差ユニットも容易に設置することができる。尚、浴室空間を規定する浴槽用防水部材及び段差状空間を規定する段差用防水部材として、防水シート、防水パネル、防水プレートなどを用いることができる。
【００１７】
また、本発明の請求項２に記載の入浴設備によれば、浴槽ユニットの第１及び第２浴槽用被支持手段は、浴槽用フレーム体の両側に設けられた複数の第１及び第２浴槽用被支持部材を備えているので、この浴槽ユニットを一対の大引間に安定して支持固定することができる。
【００１８】
また、本発明の請求項３に記載の入浴設備によれば、段差ユニットの第１及び第２段差用被支持手段は、前記段差用フレーム体の両側に設けられた複数の第１及び第２段差用被支持部材を備えているので、この段差ユニットを一対の大引に安定して支持固定することができる。
【００１９】
また、本発明の請求項４に記載の入浴設備によれば、浴槽ユニットの浴槽用フレーム体は、浴槽用縦フレーム材、浴槽用側フレーム材及び槽用横フレーム材から構成され、浴槽用側フレーム材が長さ調整可能に構成されているので、浴槽ユニットにより規定される浴槽空間の長さを調整して浴槽のサイズを変えることができる。
【００２０】
また、本発明の請求項５に記載の居室用入浴設備によれば、浴槽ユニットの浴槽用フレーム体は、浴槽用縦フレーム材、浴槽用側フレーム材及び浴槽用横フレーム材から構成され、また段差ユニットの段差用フレーム体は、段差用縦フレーム材、段差用側フレーム材及び段差用横フレーム材から構成され、浴槽用フレーム体の浴槽用横フレーム材及び段差用フレーム体の段差用横フレーム材が長さ調整可能に構成されているので、浴槽ユニット及び段差ユニットにより規定される浴槽空間及び段差状空間の幅を調整して浴槽のサイズを変えることができる。
【００２１】
また、本発明の請求項６に記載の居室用入浴設備によれば、浴槽ユニットの浴槽用フレーム体及び段差ユニットの段差用フレーム体は、断面がＬ字形状であるフレーム材を相互に連結して構成されるので、一般に市販されているＬ字形状のフレーム材を用いて浴槽用フレーム体及び段差用フレーム体を製作することができる。
【００２２】
また、本発明の請求項７に記載の入浴設備によれば、組立浴槽体は、相互に対向する一対の浴槽支持部材間に設置され、また浴室用床構造体は組立浴槽体に隣接して設置されるので、一戸建て家屋のリフォームでもって入浴設備を比較的容易に設置することができ、また設置した入浴設備の解体も比較的容易に行うことができる。また、組立浴槽体は、浴槽空間を規定するための浴槽ユニットと、段差状空間を規定するための段差ユニットとを含み、浴槽ユニットと段差ユニットとが連結されるので、組立浴槽体の組付け、設置及び解体を容易に行うことができる。更に、浴槽ユニットの浴槽用フレーム体及び／又は段差ユニットの段差用フレーム体に一対の浴槽被支持手段が設けられているので、これら浴槽被支持手段を対向する壁面側の一対の浴槽支持部材に載置固定することによって、組立浴槽体（浴槽ユニット及び段差ユニット）を容易に設置することができる。
また、本発明の請求項８に記載の入浴設備によれば、一対の浴槽支持部材は室内の対向する壁面に取り付けられ、対向する壁面間を接続する一側壁面に補助浴槽支持部材が取り付けられ、一対の浴槽被支持手段が壁面側の一対の浴槽支持部材に載置固定され、補助浴槽被支持手段が一側壁面側の補助浴槽支持部材に載置固定されるので、浴槽ユニット及び段差ユニットを三方向から設置固定することができる。
また、本発明の請求項９に記載の入浴設備の施行方法によれば、浴槽ユニット及び段差ユニットを連結して組立浴槽体を組み立て、この組立浴槽体を一対の大引間に載置した後に、載置した組立浴槽体を一対の大引に設置固定するので、組立浴槽体を一対の大引間に比較的簡単に且つ容易に設置することができる。また、この設置状態においては、組立浴槽体が一対の大引間に吊り下げられた状態となり、それ故に、組立浴槽体の下側の基礎工事などを必要とすることなく設置することができる。
また、本発明の請求項１０に記載の入浴設備の施工方法によれば、浴槽ユニット及び段差ユニットを連結して組立浴槽体を組み立て、この組立浴槽体を相互に対向する一対の浴槽支持部材間に載置した後に、載置した組立浴槽体を一対の浴槽支持部材に設置固定するので、組立浴槽体を一対の浴槽支持部材間に比較的簡単に且つ容易に設置することができ、この設置固定した状態では、一対の浴槽支持部材間に吊り下げられた状態となる。
また、本発明の請求項１１に記載の入浴設備の設置方法によれば、浴槽ユニットと段差ユニットとを別個に組み立て、別個に組み立てた浴槽ユニット及び段差ユニットを一対の大引間に載置した後これら浴槽ユニット及び段差ユニットを相互に連結して組立浴槽体とするので、組立浴槽体の組立及び設置を簡単に且つ容易に行うことができる。
また、本発明の請求項１２に記載の入浴設備の施工方法によれば、浴槽ユニットと段差ユニットとを別個に組み立て、別個に組み立てた浴槽ユニット及び段差ユニットを相互に対向する一対の浴槽支持部材間に載置した後これら浴槽ユニット及び段差ユニットを相互に連結して組立浴槽体とするので、組立浴槽体の組立及び設置を簡単に且つ容易に行うことができる。
【００２３】
更に、本発明の請求項９に記載の組立浴槽体によれば、浴槽ユニットは、複数のフレーム材により構成された浴槽用フレーム体と、浴槽用フレーム体に取り付けられた浴槽用パネルと、浴槽用パネルの表面に設けられた浴槽用防水部材とを備えているので、防水処理された所望強度の浴槽ユニットを容易に組立、解体することができる。また、段差ユニットは、複数のフレーム材により構成された段差用フレーム体と、段差用フレーム体に取り付けられた段差用パネルと、段差用パネルの表面に設けられた段差用防水部材とを備えているので、防水処理された所望の強度の段差ユニットを容易に組立、解体することができる。更に、浴槽ユニットの浴槽用フレーム体と段差ユニットの前記段差用フレーム体とが相互に連結されるので、組立浴槽体を簡単に組立、解体することができる。
【図面の簡単な説明】
【００２４】
【図１】本発明に従う入浴設備の第１の実施形態を居室に施工した状態を簡略的に示す斜視図。
【図２】図１に示すリフォーム施工の状態を簡略的に示す平面図。
【図３】図１に示す入浴設備を一部断面で示す断面図。
【図４】図３におけるＩＶ−ＩＶ線による断面図。
【図５】図１の入浴設備における浴槽用フレーム体、段差用フレーム体及び補助用フレーム体を示す平面図。
【図６】図６（ａ）は、図５の浴槽用フレーム体を示す平面図、図６（ｂ）は、この浴槽用フレーム体の正面図、図６（ｃ）は、この浴槽用フレーム体を示す右側面図。
【図７】図５の段差用フレーム体における第１段差フレーム体を示す右側面図。
【図８】図５の段差用フレーム体における第２段差フレーム体を示す右側面図。
【図９】図５の補助用フレーム体を示す右側面図。
【図１０】浴槽ユニットの第１変形形態を示す平面図。
【図１１】本発明に従う入浴設備の第２の実施形態の一部を示す平面図。
【図１２】図１１の入浴設備における浴槽用フレーム体の浴槽用横フレーム材の一部を分解して示す部分斜視図。
【図１３】図１１に示す浴槽用フレーム体における浴槽用横フレーム材を延ばした状態で示す平面図。
【図１４】本発明に従う入浴設備の第３の実施形態の一部を一部分解して示す正面図。
【図１５】本発明に従う入浴設備の第４の実施形態における組立浴槽体を取り付ける取付け側構造を示す斜視図。
【図１６】第４の実施形態の入浴設備の組立浴槽体を示す平面図。
【図１７】図１６の組立浴槽体を設置固定した状態で示す右側面図。
【図１８】第５の実施形態の入浴設備の組立浴槽体を示す平面図。
【図１９】図１８の組立浴槽体を示す右側面図。
【図２０】本発明に従う入浴設備の第６の実施形態を簡略的に示す平面図。
【発明を実施するための形態】
【００２５】
以下、添付図面を参照して、本発明に従う入浴設備の種々の実施形態について説明する。この入浴設備は、例えば、一戸建て家屋のリフォームとして比較的簡単に設置することができ、居室のリフォームとして、また浴室のリフォームとして設置することができる。
【００２６】
〔第１の実施形態〕
まず、図１〜図５を参照して、本発明に従う入浴設備の第１の実施形態について説明する。尚、この第１実施形態では、居室のリフォーム施工に適用している。
図示の居室用入浴設備は、浴槽として機能する組立浴槽体２と、この組立浴槽体２の横側（図１において左下側）に設けられた浴室用床構造体４とを備え、組立浴槽体２及び浴室用床構造体４は、図１及び図２に示すように、浴室空間６を規定する浴室構造体８の床部に設置されている。
【００２７】
ここで浴室構造体８の構成を概説すると、次の通りである。この浴室構造体８は、一戸建て家屋の生活空間である居室１０にリフォーム施工を施して、この居室１０内の一部に後述する如く解体可能に設置される。図示の浴室構造体８は、４つの壁、即ち前壁１２と、後壁１４と、これら前壁１２及び後壁１４を接続する側壁１６，１８を備え、これら前壁１２、後壁１４及び側壁１６，１８によって浴室空間６を規定し、かかる浴室空間６の天面に天井１９が設けられている。尚、天井１９については、省略することができる。
【００２８】
この形態では、浴室構造体８の側壁１６に引き戸２０が開閉自在に取り付けられている。この引き戸２０を矢印２２で示す方向に図２に一点鎖線２２Ａで示す開位置まで移動させると、浴室構造体８の入口２４が解放され、また矢印２６で示す方向に図２に実線で示す閉位置まで移動させると、浴室構造体８の入口２４が閉じられる。
【００２９】
この形態では、浴室空間６の奥（入口２４とは反対側の側壁１８の内側）に組立浴槽体２が配設され、この組立浴槽体２を除く領域に浴槽用床構造体４が配設されている。そして、この浴槽用床構造体４に（具体的には、後壁１４の内側に）、洋式便器２８及び洗面台３０（図１では省略している）が配設されている。洋式便器２８は入口２４を入った左側に配設され、洗面台３０はこの洋式便器２８の奥側に配設されている。
【００３０】
この入口２４については、浴室構造体８の前壁１２に設けるようにしてもよく、この場合、図１及び図２に示すように、組立浴槽体２については側壁１８の内側に、洋式便器２８及び洗面台３０については後壁１４の内側に設けるようにしてもよく、或いは組立浴槽体２については後壁１４の内側に、洋式便器２８及び洗面台３０については側壁１８の内側に設けるようにしてもよい。
【００３１】
浴室構造体８の入口２４に関連して、この入口２４の内側に第１排水プレート３２が配設されている。第１排水プレート３２は、例えば、複数の排水孔（図示せず）が設けられた金属製プレートなどから構成される。この第１排水プレート３２の下側には、図示していないが、水などを排水するための排水溝が設けられており、第１排水プレート３２に落ちた水は、これら排水孔を通して排水溝（図示せず）に排水される。
【００３２】
また、組立浴槽体２と浴槽用床構造体４との間に流入防止壁３４が設けられている。この形態では、組立浴槽体２は、浴室構造体８の側壁１８の内側にて前壁１２から後壁１４にわたって設けられ、このことに関連して、流入防止壁３４も、前壁１２から後壁１４にわたって設けられている。この流入防止壁３４は、浴槽用床構造体４の表面からの水などが組立浴槽体２内に流入するのを防止する。
【００３３】
更に、流入防止壁３４の内側に第２排水プレート３６が設けられている。第２排水プレート３６は、例えば、複数の排水孔（図示せず）が設けられた金属製プレート、複数の網目が設けられた金属製網プレートなどから構成される。この第２排水プレート３６の下側にも排水溝（図示せず）が設けられている。組立浴槽体２側に第２排水プレート３６が設けられていることに関連して、浴槽用床構造体４の床面は、入口２４側（即ち、側壁１６側）から組立浴槽体２側（即ち、他方の側壁１８側）側に向けて下方に少し傾斜しており、このように傾斜させることにより、その床面を洗浄する際に、洗浄水、汚物などはこの傾斜床面に沿って第２排水プレート３６側に流れ、第２排水プレート３６の排水孔（又は網目）を通して排水溝に容易に排水することができる。
【００３４】
この浴室構造体８の周囲、この実施形態では、前壁１２及び側壁１６の外側に浴室調整域Ｓが設けられている。この浴室調整域Ｓの表面は、防水畳４０で覆うようにしてもよく、防水畳４０に代えて、木製床材、合成床材などで覆うようにしてよい。この浴室調整域Ｓの外側は、居室１０の既設畳４２（通常の畳）が配設されており、この浴室調整域Ｓは、既設畳４２と浴室構造体８との間に介在され、入浴による水（お湯）などにより既設畳４２が濡れないように設けられる。尚、この浴室調整域Ｓは、省略することもできる。
【００３５】
次に、図１及び図２とともに図３〜図５を参照して、居室用入浴設備の組立浴槽体２について説明する。図示の組立浴槽体２は、入浴する入浴空間５２を規定するための浴槽ユニット５４と、この浴槽空間５２に入る段差状空間５６を規定するための段差ユニット５８と、段差状空間５６に続く補助段差空間６０を規定するための補助ユニット６２を含んでいる。
【００３６】
主として、図３〜図５とともに図６を参照して、図示の浴槽ユニット５４は、複数のフレーム材を着脱可能に連結することによって構成される浴槽用フレーム体６４を備えている。この浴槽用フレーム体６４は、上下方向（図３及び図４において上下方向、図５において紙面に垂直な方向）に延びる浴槽用縦フレーム材６６と、後述する大引６８の長手方向である所定方向（浴槽ユニット５４の縦方向であって、図３及び図５において左右方向、図４において紙面に対して垂直な方向）に延びる浴槽用側フレーム材７０と、上記所定方向に対して垂直な方向（浴槽ユニット５４の横方向であって、図３において紙面に対して垂直な方向、図４において左右方向、図５において上下方向）に延びる浴槽用横フレーム材７２とを備えている。
【００３７】
この浴槽ユニット５４では、浴槽用側フレーム材７０は、浴槽用フレーム体６４の上端両側部に配設され、これら浴槽用側フレーム材７０の両端部及び長手方向中間部に浴槽用縦フレーム材６６が配設され、また両側の浴槽用縦フレーム材６６の下端部間に浴槽用横フレーム材７２が配設され、これら浴槽用側フレーム材７０、浴槽用縦フレーム材６６及び浴槽用横フレーム材７２が、周知の連結具（例えば、連結ボルト及びナットなど）を用いて所要の通りに着脱可能（解体可能）に連結される。
【００３８】
浴槽ユニット５４は、更に、浴槽用フレーム体６４から両側に突出する第１及び第２浴槽用被支持手段７４，７６を備えている。図示の形態では、図５及び図６に示すように、第１浴槽用被支持手段７４は、片側（図６（ａ）において下側）の浴槽用側フレーム材７０に連結された浴槽用縦フレーム材６６に対応して設けられた第１浴槽用被支持部材７８から構成され、これら複数の第１浴槽用被支持部材７８は、対応する浴槽用縦フレーム材６６の上端部に例えば溶接などにより固着され、浴槽用縦フレーム材６６から外側（図５及び図６（ａ）において下側、図６（ｂ）において右側）に延びている。また、第２浴槽用被支持手段７６は、他側（図５及び図６（ａ）において上側）の浴槽用側フレーム材７０に連結された浴槽用縦フレーム材６６に対応して設けられた第２浴槽用被支持部材８０から構成され、これら複数の第２浴槽用被支持部材８０は、対応する浴槽用縦フレーム材６６の上端部に例えば溶接などにより固着され、浴槽用縦フレーム材６６から外側（図５及び図６（ａ）において上側、図６（ｂ）において左側）に延びている。
【００３９】
一戸建て家屋では、この家屋の土台（図示せず）間に複数の大引６８が設けられており、第１及び第２浴槽用被支持手段７４，７６は、図３〜図５に示すように、一戸建て家屋の複数の大引６８のうち所定の一対の大引６８に載置固定される。例えば、第１浴槽用被支持手段７４（第１浴槽用被支持部材７８）は、一対の大引６８の片方（図３において紙面に対して手前側、図４において右側、図５において下側）に載置支持され、固定具（例えば、釘など）（図示せず）により固定される。また、第２浴槽用被支持手段７６（第２浴槽用被支持部材８０）は、一対の大引６８の他方（図３において紙面に対して背面側、図４において左側、図５において上側）に載置支持され、この固定具（図示せず）により固定される。このように第１及び第２浴槽用被支持手段７４，７６が載置固定されるので、浴槽用支持フレーム体６４、換言すると浴槽ユニット５４は、かかる一対の大引６８間に支持固定され、基礎工事などを行うことなく設置することができ、かく載置固定した状態では、浴槽用フレーム体６４（換言すると、浴槽ユニット５４）は、一対の大引６８間に地面から浮いた状態で支持される。
【００４０】
この実施形態では、浴槽用支持フレーム体６４を一対の大引間６８間に載置固定した後に、この浴槽用支持フレーム体６４に浴槽用パネル８２が取り付けられ、この浴槽用パネル８２の内側に浴槽用防水部材８４が取り付けられ、上記浴槽空間５２は、このように設けられた浴槽用防水部材８４の内側に規定される。尚、浴槽用支持フレーム体６４に浴槽用パネル８２を取り付けた状態のものを一対の大引６８間に載置固定するようにしてもよく、このように予め浴槽ユニット５４を製作して載置することによって、浴槽ユニット５４の設置を簡単に行うことができる。
【００４１】
浴槽用パネル８２は、例えばコンクリートパネル、樹脂パネルなどから構成され、取付具（例えば、取付ボルト及びナットなど）（図示せず）を用いて浴槽用支持フレーム体６４に着脱可能（解体可能）に取り付けられる。この形態では、浴槽空間５２の底面を規定する浴槽用パネル８２は、浴槽用横フレーム材７２の内側に取り付けられ、浴槽空間５２の側面を規定する浴槽用パネル８２は、浴槽用縦フレーム材６６の内側に取り付けられる。
【００４２】
また、浴槽空間５２の片端面（図３及び図５において左側端面）を規定する浴槽用パネル８２は、浴槽用縦フレーム材６６の外側に取り付けられ、例えば、断面形状がＬ字状であるＬ字状部材８６（図３参照）を浴槽用パネル体８２の外側から取り付けることによって、この浴槽用パネル体８２の取付強度を高めることができる。例えば、上側のＬ字状部材８６については、浴槽用パネル８２を介して浴槽用縦フレーム材６６に取り付けられ、下側のＬ字状部材８６については、この浴槽用パネル８２を介して浴槽用横フレーム材７２に取り付けられる。取付強度を増すために、更にＬ字状部材８６を設けるようにしてもよい。
【００４３】
また、浴槽空間５２の他端面（図３及び図５において右側端面であって、段差ユニット５８から下方に突出する他面）を規定する浴槽用パネル８２Ａは、浴槽用縦フレーム材６６の外側に取り付けられ、断面Ｌ字状のＬ字状部材８７（図３参照）が浴槽用パネル体８２Ａの外側から取り付けられる。
【００４４】
また、浴槽用防水部材８４は、例えば樹脂製の防水シート、防水プレート、防水パネルなどから構成され、接着剤などを用いて浴槽用パネル８２の内面側を覆うように取り付けられ、接続部位の隙間などはコーキング剤により防水処理される。このように構成することにより、防水処理された浴槽ユニット５４が一対の大引６８間に設置される。
【００４５】
次に、図３、図５、図７及び図８を参照して、段差状空間５６を規定するための段差ユニット５８について説明する。図示の段差ユニット５８は、複数のフレーム材を着脱可能に連結することによって構成される第１及び第２段差フレーム体９２，９４から構成される段差用フレーム体９６を備えている。第１段差フレーム体９２及び第２段差フレーム体９４は実質上同一の構成で、上下方向の長さが異なっているのみであり、第１段差フレーム体９２の長さが第２段差フレーム体９４の長さよりも長くなっている。第１段差フレーム体９２及び第２段差フレーム体９４は、連結具（例えば、連結ボルト及びナットなど）（図示せず）により相互に着脱可能に連結されて段差用フレーム体９６を構成し、第１段差フレーム体９２が浴槽ユニット５４の浴槽用フレーム体６４に連結具（図示せず）により着脱可能に連結される。
【００４６】
以下、段差用フレーム体９６の第１段差フレーム体９２（第２段差フレーム体９４）について説明する。第１段差フレーム体９２（第２段差フレーム体９４）は、上下方向（図３及び図７（図８）において上下方向、図５において紙面に垂直な方向）に延びる第１段差用縦フレーム材９８（第２段差用縦フレーム材１００）と、大引６８の長手方向である所定方向（図３及び図５において左右方向、図７において紙面に対して垂直な方向）に延びる第１段差用側フレーム材１０２（第２段差用側フレーム材１０４）と、上記所定方向に対して垂直な方向（段差ユニット５８の横方向であって、図３において紙面に対して垂直な方向、図５において上下方向、図７（図８）において左右方向）に延びる第１段差用横フレーム材１０６（第２段差用横フレーム材１０８）とを備えている。
【００４７】
この段差ユニット５８では、浴槽ユニット５４と略同様に、第１段差用側フレーム材１０２（第２段差用側フレーム材１０４）は、第１段差フレーム体９２（第２段差フレーム体９４）の上端両側部に配設され、これら第１段差用側フレーム材１０２（第２段差用側フレーム材１０４）の両端部に第１段差用縦フレーム材１００（第２段差用縦フレーム材１０２）が配設され、また両側の第１段差用縦フレーム材９８（第２段差用縦フレーム材１００）の下端部間に第１段差用横フレーム材１０６（第２段差用横フレーム材１０８）が配設され、これら第１段差用側フレーム材１０２（第２段差用側フレーム材１０４）、第１段差用縦フレーム材９８（第２段差用縦フレーム材１００）及び第１段差用横フレーム材１０６（第２段差用横フレーム材１０８）が、周知の連結具（例えば、連結ボルト及びナットなど）を用いて所要の通りに着脱可能（解体可能）に連結される。
【００４８】
段差ユニット５８は、浴槽ユニット５４と略同様に、段差用フレーム体９６から両側に突出する第１及び第２段差用被支持手段１１０，１１２を備えている。この形態では、図５、図７及び図８に示すように、第１段差用被支持手段１１０は、片側（図５において下側）の第１及び第２段差用側フレーム材１０２，１０４に連結された第１及び第２段差用縦フレーム材９８，１００の上端部に例えば溶接などにより固着された複数の第１段差用被支持部材１１４から構成され、また第２段差用被支持手段１１２は、他側（図５において上側）の第１及び第２段差用側フレーム材１０２，１０４に連結された第１及び第２段差用縦フレーム材９８，１００の上端部に溶接などにより固定された複数の第２段差用被支持部材１１６から構成されている。
【００４９】
段差ユニット５８の第１段差用被支持手段１１０（第１段差用被支持部材１１４）は、一対の大引６８の片方（図３において紙面に対して手前側、図５において下側）に載置されて固定具（図示せず）により固定され、また第２段差用被支持手段１１２（第２段差用被支持部材１１６）は、一対の大引６８の他方（図３において紙面に対して背面側、図５において上側）に載置されて固定具（図示せず）により固定される。このように第１及び第２段差用被支持手段１１０，１１２が載置固定されるので、段差用支持フレーム体９６（第１及び第２段差フレーム体９２，９４）、換言すると段差ユニット５８をかかる一対の大引６８間に容易に設置することができ、かく設置固定した状態では、段差用支持フレーム体９６（換言すると、段差ユニット５８）は、一対の大引６８間にて地面から浮いた状態に支持される。
【００５０】
この実施形態では、浴槽ユニット５４と同様に、段差用支持フレーム体９６（第１及び第２段差支持フレーム体９２，９４）を一対の大引６８間に載置固定した後に、この段差用支持フレーム体９６に第１及び第２段差用パネル１１８，１２０が取り付けられ、第１及び第２段差用パネル１１８，１２０の内側に第１及び第２段差用防水部材１２２，１２４が取り付けられ、段差状空間５６は、このように設けられた第１及び第２段差用防水部材１２２，１２４の内側に規定される。
【００５１】
第１及び第２段差用パネル１１８，１２０は、上述した浴槽用パネル８２と同様のパネルを用いることができ、第１及び第２段差用防水部材１２２，１２４は、上述した浴槽用防水部材８４と同様のものを用いることができる。段差用空間５６の底面を規定する第１段差用パネル１１８（第２段差用パネル１２０）は、第１段差用横フレーム材１０６（第２段差用横フレーム材１０８）の内側に取り付けられ、段差用空間５６の側面を規定する第１段差用パネル１１８（第２段差用パネル１２０）は、第１段差用縦フレーム材９８（第２段差用縦フレーム材１００）の内側に取り付けられる。
【００５２】
また、段差用空間５６の段差端面を規定する第１段差用パネル１１８Ａは、第１段差用縦フレーム材９８の外側に取り付けられ、例えば、断面Ｌ字状のＬ字状部材１２６（図３参照）が第１段差用パネル１１８Ａの外側からその上端部及び下端部に取り付けられる。更に、段差用空間５６の端面を規定する第２段差用パネル１２０Ａは、第２段差用縦フレーム材１００の外側に取り付けられ、例えば、断面Ｌ字状のＬ字状部材１２８（図３参照）が第２段差用パネル１２０Ａの外側からその上端部及び下端部に取り付けられる。
【００５３】
また、第１及び第２段差用防水部材１２２，１２４は、接着剤などを用いて第１及び第２段差用パネル１１８，１２０の内面側を覆うように取り付けられ、接続部位の隙間などはコーキング剤により防水処理される。このように構成することにより、防水処理された段差ユニット５８が一対の大引６８間に設置される。
【００５４】
次いで、図３、図５、図７及び図９を参照して、補助段差空間６０を規定するための補助ユニット６２について説明する。図示の補助ユニット６２は、複数のフレーム材を着脱可能に連結することによって構成される補助用フレーム体１３０を備えている。この補助用フレーム体１３０は、段差ユニット５８の段差用フレーム体９６（具体的には、第２段差フレーム体９４）に連結具（図示せず）により着脱可能に連結される。
【００５５】
補助用フレーム体１３０は、段差ユニット５８の第１段差フレーム体９２（第２段差フレーム体９４）と略同様の構成を有し、上下方向に延びる補助用縦フレーム材１３２と、所定方向に延びる補助用側フレーム材１３４と、上記所定方向に対して垂直な方に延びる補助用横フレーム材１３６とを備え、これらフレーム材１３２，１３４，１３６が上述したと同様に連結されて補助用フレーム体１３０を構成する。
【００５６】
この補助ユニット６２は、浴槽ユニット５４などと略同様に、補助用フレーム体１３０から両側に突出する第１及び第２補助用被支持手段１３８，１４０を備え、第１及び第２補助用被支持手段１３８、１４０が第１及び第２補助用被支持部材１４２，１４４から構成され、第１及び第２補助用被支持部材１４２，１４４が補助用縦フレーム材１３２に固定されている。
【００５７】
補助ユニット６２の第１補助用被支持手段１３８（第１補助用被支持部材１４２）は、一対の大引６８の片方（図５において下側）に載置支持されて固定具（図示せず）により固定され、また第２補助用被支持手段１４０（第２補助用被支持部材１４４）は、一対の大引６８の他方（図５において上側）に載置支持されて固定具（図示せず）により固定される。このように第１及び第２補助用被支持手段１３８，１４０が載置固定されるので、補助用支持フレーム体１３０、換言すると補助ユニット６２をかかる一対の大引６８間に容易に設置することができ、かく載置固定した状態では、補助用フレーム体１３０（換言すると、補助ユニット６２）は、一対の大引６８間にて地面から浮いた状態に支持される。
【００５８】
この実施形態では、浴槽ユニット５４などと同様に、補助用支持フレーム体１３０を一対の大引間６８間に載置固定した後に、この補助用支持フレーム体１３０に補助用パネル１４６が取り付けられ、これら補助用パネル１４６の内側に補助用防水部材１４８が取り付けられ、補助段差空間６０は、このように設けられた補助用防水部材１４８の内側に規定される。尚、このような補助ユニット６２は、設置スペースなどの関連で省略するようにしてもよい。
【００５９】
次に、主として図３及び図４を参照して、浴室用床構造体４及び浴室調整域Ｓの構造について説明する。まず、図４を参照して、隣接する大引６８（この形態では、一方の大引６８には、組立浴槽体２の被支持手段、即ち第１浴槽用被支持手段７４などが載置支持されている）の側面（相互に対向する側面）に取付支持部材１５２が釘（図示せず）などで取り付けられ、かかる取付支持部材１５２に、その長手方向（図４において紙面に対して垂直な方向）に間隔をおいて接続支持部材１５４が取り付けられ、かかる接続支持部材１５４に、その長手方向（図４において左右方向）に間隔をおいて垂木１５６が固定される。そして、これら垂木１５６の上側にパネル部材１５８（例えば、コンクリート製パネルなど）が載置され、更にその表面側に防水パネル１６０が載置固定され、このようにして組立浴槽体２に隣接して浴室用床構造体４が施工される。尚、必要に応じて、図４に示すように、大引６８の上面とパネル部材１５８との間にスペーサ部材１６１（例えば、木製のもの）を介在させることができる。
一戸建て家屋における居室の床構造は、図４に示すように構成され、隣接する大引６８の間を延びるように根太１６２が配設され、これら根太１６２の上面側に床板１６４が載置され、かかる床板１６４の表面に畳１６６が載置されている。
【００６０】
また、浴室調整域Ｓの床構造としては、畳１６６を取り外して、図３に示すように構成することができる。即ち、大引６８間を延びるように設けられた根太１６２の上側に畳１６６に代えてパネル部材１７０（例えば、コンクリート製パネルなど）が配設され、このパネル部材１７０の表面側に防水畳１７２が配設され、このように防水畳１７２を敷くことにより、浴室調整域Ｓに防水機能を持たせることができ、この防水畳１７２に代えて、防水性シート（図示せず）で覆うようにしてもよい。尚、浴室調整域Ｓは適宜の幅の大きさに設定することができ、場合により省略することもできる。
【００６１】
このような入浴設備は、既設の一戸建て家屋のリフォーム施工でもって、例えば、次のようにして設置することができる。即ち、図１〜図５から理解されるように、設置する入浴設備に対応する所望領域については、畳１６６を取り除いた状態とする。更に、入浴設備の組立浴槽体２及び浴室用床構造体４に対応する領域については、この畳１６６に加えて、床板１６４及び根太１６２も取り除き、大引６８が露出した状態とする。
【００６２】
このような状態において、一対の大引６８間に組立浴槽体２を上述したようにして載置固定する。例えば、一対の大引６８間に浴槽ユニット５４の浴槽用フレーム体６４を載置固定し、この浴槽用フレーム体６４に浴槽用パネル８２を所要の通りに取り付ける。次いで、この一対の大引６８間に段差ユニット５８の段差用フレーム体９６（第１及び第２段差フレーム体９２，９４）を載置し、段差用フレーム体９６を浴槽用フレーム体６４に連結した後に大引６８に固定する。そして、この段差用フレーム体９６、即ち第１及び第２段差フレーム体９２，９４に第１及び第２段差用パネル１１８，１２０を取り付けるとともに、浴槽用フレーム体６４に残りの浴槽用パネル８２Ａを取り付ける。その後、一対の大引６８間に補助ユニット６２の補助用フレーム体１３０を載置し、補助用フレーム体１３０を段差用フレーム体９６に連結した後に大引６８に固定する。更に、この補助用フレーム体１３０に補助用パネル１２０，１２０Ａを取り付けるとともに、段差用フレーム体９６の残りの段差用パネル（第２段差用パネル１２０Ａ）を取り付ける。
【００６３】
しかる後に、組立浴槽体２の内側に防水部材（浴槽用防水部材８４、第１及び第２段差用防水部材１１８，１２０、補助用防水部材１４８）を配設し、更に水漏れ防止のためのコーキング処理を施し、このようにして組立浴槽体２を解体可能に取り付けることができ、その設置は、一対の大引６８間に載置固定するという比較的簡単且つ容易な作業でもって行うことができ、その施工に際しても既設の家屋にほとんど変更を加えることなく行うことができる。
【００６４】
このように組立浴槽体２を設置した後に、大引６８間に取付支持部材１５２を介して接続支持部材１５４を取り付け、更に垂木１５６及びパネル部材１５８を介して防水パネル１６０を載置固定し、このようにして浴室用床構造体４を施工することができる。このとき、必要に応じて、この浴室床構造体４に洋式便器２８及び洗面第３０を設置する。
【００６５】
しかる後に、浴室構造体８を所要の通りに組み付けるとともに、浴室調整域Ｓに対応した領域については、畳１６６に代えて防水畳１７２を敷き、このようにして上述した入浴設備をリフォームにより設置することができる。
【００６６】
このような段差ユニットは、図１０に示すように構成することもできる。尚、以下の実施形態において、上述した実施形態と実質上同一の部材には同一の参照番号を付し、その説明を省略する。図１０において、図示の段差ユニット５８Ａは、第１及び第２段差フレーム体９２，９４が一体的に構成された段差用フレーム体９６Ａを備え、この段差用フレーム体９６Ａでは、中央部に位置する段差用縦フレーム材９２Ａが浴槽用ユニット５４の浴槽用フレーム体６４に接続される第１段差用縦フレーム材９２（図１０において左側に位置するもの）と同じ長さに構成され、図１０において右側に位置する第２段差用縦フレーム材１００のみがその長さが短く構成されている。
【００６７】
このような段差ユニット５８Ａにおいては、例えば、一対の第１段差用縦フレーム材９２，９２Ａ間に第１段差用パネル１１８，１１８Ａが取り付けられ，一対の第１及び第２段差用縦フレーム材９２Ａ、１００間に第２段差用パネル１２０，１２０Ａが取り付けられる。また、この段差ユニット５８Ａの片側に第１段差用被支持手段１１０Ａが設けられ、この第１段差用被支持手段１１０Ａは、上記片側の第１及び第２段差用縦フレーム材９２、９２Ａ，１００の上端部に固定された第１段差用被支持部材１１４から構成される。また、段差用ユニット５８Ａの他側に第２段差用被支持手段１１２Ｂが設けられ、この第２段差用被支持手段１１２Ａは、上記他側の第１及び第２段差用縦フレーム材９２、９２Ａ，１００の上端部に固定された第２段差用被支持部材１１６から構成される。この変形形態の段差ユニット５８ＢＡ、上述した第１の実施形態における段差ユニット５８に代えて用いることができ、上述したと同様の作用効果に加えて、使用するフレーム材の数を少なくすることができる。
【００６８】
上述した形態から理解されるように、浴槽ユニット５４、段差ユニット５８及び補助ユニット６２における各種フレーム材（即ち、縦フレーム材、側フレーム材、横フレーム材）、また各種被支持手段を構成する被支持部材は、適宜の断面形状の鋼材を用いることができるが、各種パネルの取付けなどを考慮すると、断面形状がＬ字形状であるＬ字状のフレーム材を好都合に用いることができる。
【００６９】
〔第２の実施形態〕
上述した実施形態では、組立浴槽体の幅を変えることはできないが、一対の大引間の間隔が異なる場合などにおいて、図１１〜図１３に示すように構成することによって、組立浴槽体の幅を調整することができる。
【００７０】
図１１及び図１２において、この第２の実施形態においては、浴槽ユニット５４Ｂの浴槽用フレーム体６４Ｂにおける浴槽用横フレーム材７２Ｂ、段差ユニット５８Ｂの段差用フレーム体９６Ｂにおける段差用横フレーム材１０６Ｂ及び補助ユニットの補助用フレーム体における補助用横フレーム材（図示せず）が横方向（図１１において上下方向）に長さ調整可能に構成され、この形態では、これら浴槽用横フレーム材７２Ｂ、段差用横フレーム材１０６Ｂ及び補助用横フレーム材（図示せず）が次のように構成されている。
【００７１】
浴槽用横フレーム材７２Ｂ（段差用横フレーム材１０６Ｂ、補助用横フレーム材（図示せず））は、片側の浴槽用縦フレーム材６６（段差用縦フレーム材９８、補助用縦フレーム材（図示せず））に固定された第１横フレーム材１６２と、他側の浴槽用縦フレーム材６６（段差用縦フレーム材９８、補助用縦フレーム材（図示せず））に固定された第２横フレーム材１６４と、第１横フレーム材１６２と第２横フレーム材１６４とを接続する接続横フレーム材１６６とから構成されている。
【００７２】
第１及び第２横フレーム材１６２、１６４は、相互に近接する方向に延び、それらの先端部には、それらの長手方向（即ち、横方向）に間隔をおいて複数個（図示の形態では、２つ）の連結用孔１６８，１７０が設けられ、また接続横フレーム材１６６には、その長手方向に間隔をおいて複数個（この形態では、４つ）の連結用孔１７２が設けられている。この組立浴槽体２Ｂのその他の構成は、上述の第１の実施形態と実質上同一でよい。
【００７３】
この浴槽用横フレーム材７２Ｂ（段差用横フレーム材１０６Ｂ、補助用横フレーム材（図示せず））では、第１及び第２横フレーム材１６２，１６４の基部側の連結用孔１６８，１７０と接続横フレーム材１６６の中央側の連結用孔１７２とを整合させて連結具（例えば、連結ボルト及びナットなど）で連結すると、図１１で示すように、浴槽用横フレーム材７２Ｂ（段差用横フレーム材１０６Ｂ、補助用横フレーム材（図示せず））の長さが短くなる。従って、例えば一対の大引６８間の間隔が小さいときに、このようにして浴槽用横フレーム材７２Ｂ（段差用横フレーム材１０６Ｂ、補助用横フレーム材（図示せず））の長さを短くすることによって、組立浴槽体２Ｂの幅を小さくしてそのサイズを狭くすることができ、一対の大引６８間にこの組立浴槽体２Ｂ（即ち、浴槽ユニット５４Ｂ、段差ユニット５８Ｂ及び補助ユニット（図示せず））を所要の通りに載置して固定することができる。
【００７４】
また、第１及び第２横フレーム材１６２，１６４の先端側の連結用孔１６８，１７０と接続横フレーム材１６６の両端側の連結用孔１７２とを整合させて連結具で連結すると、図１３で示すように、浴槽用横フレーム材７２Ｂ（段差用横フレーム材１０６Ｂ、補助用横フレーム材（図示せず））の長さが長くなる。従って、例えば一対の大引６８間の間隔が大きいときに、このようにして浴槽用横フレーム材７２Ｂ（段差用横フレーム材１０６Ｂ、補助用横フレーム材（図示せず））の長さを長くすることによって、組立浴槽体２Ｂの幅を大きくしてそのサイズを広くすることができ、一対の大引６８間にこの組立浴槽体２Ｂを所要の通りに載置固定することができる。尚、第１及び第２横フレーム材１６２，１６４に設ける連結用孔１６８，１７０の数、また接続フレーム材１６６に設ける連通用孔１７２の数については、調整可能な長さなどに対応させて適宜設定することができる。
【００７５】
〔第３の実施形態〕
第２の実施形態では、組立浴槽体の幅を調整可能に構成しているが、図１４に示すように構成することによって、組立浴槽体の長さを調整することができる。
【００７６】
図１４において、この第３の実施形態においては、浴槽ユニット５４Ｃの浴槽用フレーム体６４Ｃにおける浴槽用側フレーム材７０Ｃが所定方向（大引６８の延びる方向）に長さ調整可能に構成され、この形態では、浴槽用フレーム体６４Ｃの一端側（図１４において左側）における一対の浴槽用縦フレーム材６６間の第１部位１８２及びその他端側（図１４において右側）における一対の浴槽用縦フレーム材６６間の第２部位１８４において、これらの長さが調整可能なように、次のように構成されている。
【００７７】
浴槽用側フレーム材７０Ｃの第１部位１８２（第２部位１８４）は、一方（図１４において左側）の浴槽用縦フレーム材６６に固定された第１側フレーム材１８６と、他方（図１４において右側）の浴槽用縦フレーム材６６に固定された第２側フレーム材１８８と、第１及び第２側フレーム材１８６，１８８を接続する接続側フレーム材１９０とから構成されている。
【００７８】
第１及び第２側フレーム材１８６、１８８は、相互に近接する方向に延び、それらの先端部には、連結用孔１９２，１９４が設けられ、また接続側フレーム材１９０には、その両端部に長手方向に間隔をおいて複数個（この形態では、一端側に３つ、他端側に３つ）の連結用孔１９６，１９８が設けられている。
【００７９】
この浴槽用側フレーム材７０Ｃの第１部位１８２（第２部位１８４）では、第１及び第２側フレーム材１８２，１８４の連結用孔１９２，１９４と接続側フレーム材１９０の内側の連結用孔１９６，１９８とを整合させて連結具（図示せず）で連結すると、浴槽用側フレーム材７０Ｃの長さが短くなり、浴槽ユニット５４Ｃ（換言すると、組立浴槽体２Ｃ）の長さを短くしてそのサイズを小さくすることができる。
【００８０】
また、第１及び第２側フレーム材１８６，１８８の連結用孔１９２，１９４と接続側フレーム材１９０の外側の連結用孔１９６，１９８とを整合させて連結具で連結すると、浴槽用側フレーム材７０Ｃの長さが長くなり、浴槽ユニット５４Ｃの長さを長くしてそのサイズを大きくすることができる。
【００８１】
この第３の実施形態では、浴槽ユニット５４Ｃにおける浴槽用側フレーム材７０Ｃの第１及び第２部位１８２、１８４の双方において長さ調整可能に構成しているが、調整長さが小さいときなどにおいては、第１及び第２部位１８２，１８４のいずれか一方において長さ調整可能に構成するようにしてもよい。
【００８２】
このような入浴設備では、リフォーム施工を簡単に且つ容易に行うために、例えば、次のように行うことができる。即ち、リフォーム施工の工事前に、浴槽ユニット５４（５４Ｂ，５４Ｃ）及び段差ユニット５８（５８Ｂ，５８Ｃ）を上述したように組立てて相互に連結した組立浴槽体２（２Ｂ，２Ｃ）を予め製作する（補助ユニット６２が存在する場合には、この補助ユニット６２も連結する）（浴槽体組立工程）。そして、リフォーム施工の際に、予め製作した組立浴槽体２（２Ｂ，２Ｃ）を一対の大引６８間に載置し（浴槽体載置工程）、しかる後、この組立浴槽体２（２Ｂ，２Ｃ）を一対の大引６８に設置固定する（浴槽体固定工程）。この場合、予め組立浴槽体２（２Ｂ，２Ｃ）を施工現場と離れた例えば工場などで別個に製作するので、この組立浴槽体２（２Ｂ，２Ｃ）を容易に製作することができ、またリフォームの施工現場においては、この組立浴槽体２（２Ｂ，２Ｃ）を一対の大引６８間に載置して設置固定すればよく、その施工工事を比較的簡単に短時間で行うことができる。
【００８３】
この入浴設備のリフォーム施工は、例えば、次のようにしても比較的簡単に且つ容易に行うことができる。即ち、リフォーム施工の工事前に、浴槽ユニット５４（５４Ｂ，５４Ｃ）を上述したように組み立てて製作する（浴槽ユニット組立工程）とともに、段差ユニット５８（５８Ｂ，５８Ｃ）も上述したように組立てて製作する（補助ユニット６２が存在する場合には、この補助ユニット６２もこの段差ユニット５８（５８Ｂ，５８Ｃ）に連結して組み立てる）（段差ユニット組立工程）。
【００８４】
そして、リフォーム施工の際に、予め製作した浴槽ユニット５４（５４Ｂ，５４Ｃ）を一対の大引き６８間に載置するとともに、載置した浴槽ユニット５４（５４Ｂ，５４Ｃ）に隣接して予め製作した段差ユニット５８（５８Ｂ，５８Ｃ）を一対の大引６８間に載置し（ユニット載置工程）、その後に、隣接する浴槽ユニット５４（５４Ｂ，５４Ｃ）及び段差ユニット５８（５８Ｂ，５８Ｃ）を相互に連結して組立浴槽体２（２Ｂ，２Ｃ）を最終組立し（ユニット連結工程）、しかる後に、組立浴槽体２（２Ｂ、２Ｃ）（即ち、浴槽ユニット５４（５４Ｂ，５４Ｃ）及び段差ユニット５８（５８Ｂ，５８Ｃ））を一対の大引６８に設置固定する（浴槽体固定工程）。尚、必要に応じて、ユニット連結工程又は浴槽体固定工程の後に、浴槽ユニット５４（５４Ｂ，５４Ｃ）及び段差ユニット５８（５８Ｂ，５８Ｃ）の連結部に防水処理を施すことができる。
【００８５】
この施工方法では、組立浴槽体２（２Ｂ、２Ｃ）を浴槽ユニット５４（５４Ｂ，５４Ｃ）と段差ユニット５８（５８Ｂ，５８Ｃ）（補助ユニット６２が連結される場合がある）とに分けた状態で施工現場と離れた例えば工場などで製作するので、設置の際の搬入、取扱いなどが一層容易となる。
【００８６】
〔第４の実施形態〕
第１〜第３の実施形態の入浴設備では、組立浴槽体を一対の大引間に吊り下げた状態（換言すると、地面に対して浮いた状態）で設置固定しているが、第４の実施形態の入浴設備では、一対の浴槽支持部材間に吊り下げた状態で設置固定される。
【００８７】
図１５〜図１７を参照して更に説明すると、この第４の実施形態では、例えば一戸建て家屋の浴室のリフォーム施工に適用している。主として図１５を参照して、浴室の既設の浴槽及びこの浴槽に隣接する洗い場を取り除くと、例えば、図１５に示すように、浴室を規定するための４壁部２０２．２０４，２０６（図１５において、４つの側壁のうち３つのみを示す）が露出し、これら４壁部２０２，２０４，２０４の全体又はそれらの下部は、例えばコンクリート製の壁部として形成される。
【００８８】
この第４の実施形態の入浴設備では、リフォームを施す浴室側に一対の浴槽支持部材２０８、２１０が取り付けられる。一対の浴槽支持部材２０８，２１０は、相互に対向する壁部２０２，２０６の内壁面に例えばコンクリート用の取付ねじ（図示せず）により取り付けられる。この形態では、更に、対向する壁部２０２，２０６を接続する側壁部２０４の内壁面（一側壁面を構成する）に例えばコンクリート用の取付ねじ（図示せず）により補助浴槽支持部材２１２が取り付けられる。
【００８９】
浴槽支持部材２０８．２１０（及び補助浴槽支持部材２１２）としては、断面形状がＬ字状であるＬ字状のフレーム材を好都合に用いることができ、このようなＬ字状のフレーム材を用いた場合、それらの一側部２１４（及び２１６）が壁部２０２，２０６（及び一側壁部２０４）の壁面に取り付けられ、それらの他側部２１８（及び２２０）は、この一側部２１４（及び２１６）の上端から浴室の内側に向けて実質上垂直に突出し、後述する組立浴槽体２２２（図１６及び図１７参照）を支持するための浴槽支持手段（補助浴槽支持手段）として機能する。
【００９０】
尚、この実施形態では、後述する組立浴槽体２２２を三方向（即ち、壁部２０２，２０６側の浴槽支持部材２０８，２１０及び側壁部２０４側の補助浴槽支持部材２１２）により支持する構成であるが、互いに対向する二方向（即ち、壁部２０２，２０６側の浴槽支持部材２０８，２１０）により支持するように構成してもよく、この場合、補助浴槽支持部材２１２を省略することができる。また、この形態では、浴槽支持部材２０８，２１０（及び補助浴槽支持部材２１２）をＬ字状のフレーム材から構成しているが、このような形態のフレーム材に限定されず、組立浴槽体２２２を支持するための浴槽支持手段（及び補助浴槽支持手段）を有する適宜の形状のフレーム材から構成することができる。
【００９１】
次に、図１６及び図１７を参照して組立浴槽体２２２について説明すると、図示の組立浴槽体２２２は、浴槽空間２２４を規定する浴槽ユニット２２６と、浴槽空間２２４に入るための段差状空間２２８を規定する段差ユニット２３０とを備え、この段差ユニット２３０は、図１６において下側（図１７において手前側）に第１段差状空間２３２を規定し、図１６において上側（図１７において奥側）に第２段差状空間２３４を規定し、第１段差状空間２３２は深さが浅く、第２段差状空間２３４の深さは、第１段差状空間２３２よりも深く、浴槽空間２２４よりも浅くなっており、このように構成されているので、段差状空間２２８及び浴槽空間２２４は、第１段差状空間２３２、第２段差状空間２３４及び浴槽空間２２４に向けて階段状に深さが深くなっている。
【００９２】
この第４の実施形態における組立浴槽体２２２は、上述した第１の実施形態における組立浴槽体２と同様にして組み立てられ、この形態では、リフォームの施工現場と離れた例えば工場などにおいて浴槽ユニット２２６と段差ユニット２３０が相互に連結されて組立浴槽体２２２が組み立てられ、このように組み立てた状態で施工現場に搬入される。尚、組立浴槽体２２２（即ち、浴槽ユニット２２６及び段差ユニット２３０）は、第１の実施形態のものと基本的に同一の構成であり、それ故に、その具体的な構成の説明については省略する。
【００９３】
この形態では、組立浴槽体２２２は、全体の外形が略直方体状であり、浴室の壁部２０２，２０６の浴槽支持部材２０８，２１０に対応して浴槽被支持手段２３６，２３８が設けられているとともに、側壁部２０４側の補助浴槽支持部材２１２に対応して、補助浴槽被支持手段２４０が設けられている。尚、壁部２０４側の浴槽支持部材２１２を省略した場合には、この補助浴槽被支持手段２４０は省略される。
【００９４】
浴槽被支持手段２３６，２３８（及び補助浴槽被支持手段２４０）は、浴槽支持部材２０８，２１０（及び補助浴槽支持部材２１２）と同様に、Ｌ字状のフレーム材２４２から構成され、その片側部（図示せず）が浴槽用フレーム体２４４及び段差用フレーム体２４６の上端部に固定具（例えば、連結ボルト及びナットなど）により取り付けられ、その他側部２４８（及び２５０）が、かかる一側部の上端から外方に向けて実質上垂直に突出し、これら他側部２４８（２５０）が浴槽被支持手段２３６，２３８（及び補助浴槽被支持手段２４０）として機能する。
【００９５】
この第４の実施形態の入浴設備では、例えば、次のようにしてリフォーム施工を行うことができる。即ち、リフォーム施工の工事前に、浴槽ユニット２２６及び段差ユニット２３０を所要の通りに組立てて相互に連結した組立浴槽体２２２を予め製作する（浴槽体組立工程）。そして、リフォーム施工の際に、浴室の既設の浴槽などを取り除き、浴室の対向する壁部２０２，２０６に浴槽支持部材２０８，２１０を取り付けるとともに、これら壁部２０２，２０６を接続する側壁部２０４に補助浴槽支持部材２１２を取り付ける。
その後、この組立浴槽体２２２の浴槽被支持手段２３６，２３８（フレーム材２４２の他側部２４８）を壁部２０２，２０６側の浴槽支持部材２０８，２１０に載置する（図１７参照）とともに、その補助浴槽被支持手段２４０（フレーム材２４２の他側部２５０）を側壁部２０４側の補助浴槽支持部材２１２に載置する（浴槽体載置工程）。
しかる後、組立浴槽体２２２側の浴槽被支持手段２３６，２３８（フレーム材２４２の他側部２４８）を壁部２０２，２０６側の浴槽支持部材２０８，２１０に固定具（図示せず）などを用いて設置固定するとともに、その補助浴槽被支持手段２４０（フレーム材２４２の他側部２５０）を側壁部２０４側の補助浴槽支持部材２１２に固定具（図示せず）などを用いて設置固定し（浴槽体固定工程）、この入浴設備を上述したようにしてリフォーム施工することができる。
【００９６】
この実施形態においても、組立浴槽体２２２を施工現場と離れた例えば工場などで別個に製作するので、この組立浴槽体２２２を容易に製作することができ、またリフォームの施工現場においては、この組立浴槽体２２２を対向する壁部２０２，２０６側の浴槽支持部材２０８，２１０に載置して（側壁部２０４に補助浴槽支持部材２１２が設けられている場合、この補助浴槽支持部材２１２にも載置して）設置固定すればよく、その施工工事を比較的簡単に短時間で行うことができる。
【００９７】
〔第５の実施形態〕
次に、１８及び図１９を参照して、第５の実施形態の入浴設備について説明する。この第５の実施形態においては、組立浴槽体（具体的には、その段差ユニット）に改良が施されている。
【００９８】
図１８及び図１９において、図示の形態の浴槽組立体２２２Ａは、上述の第４の実施形態と同様に、浴槽ユニット２２６Ａ及び段差ユニット２３０Ａとを備え、浴槽ユニット２２６Ａ及び段差ユニット２３０Ａが相互に連結されている。この浴槽ユニット２２６Ａは、第４の実施形態のものと同様の構成で浴槽空間２２４Ａを規定し段差ユニット２３０Ａは、段差空間２２８Ａ（第１段差空間２３２Ａ及び第２段差空間２３４Ａ）に
に加えて補助段差空間２６２を規定し、この補助段差空間２６２が浴室の洗い場側に延びている。この組立浴槽体２２２Ａでは、補助段差空間２６２、第１段差空間２３２Ａ、第２段差空間２３４Ａ及び浴槽空間２２４Ａは、この順にそれらの深さが階段状に深くなっている。尚、このように補助段差空間２６２を設けることによって、浴槽空間２２４Ａに向けて入浴する際の最初の段差を小さくすることができ、これによって、介護者を介護しながら安全に入浴させることができる。
【００９９】
このような組立浴槽体２２２Ａにおいても、上述の第４の実施形態と同様に、壁部２０２，２０６側の浴槽支持部材２０８，２１０（図１５参照）に対応して、組立浴槽体２２２Ａ（浴槽ユニット２２６Ａ及び段差ユニット２３０Ａ）に浴槽被支持手段２３６Ａ，２３８Ａが設けられるとともに、側壁部２０４側の補助浴槽支持部材２１２（図１５参照）に対応して、組立浴槽体２２２Ａ（浴槽ユニット２２６Ａ及び段差ユニット２３０Ａにわたって）に補助浴槽被支持手段２４０Ａが設けられ、このような組立浴槽体２２２Ａは、第４の実施形態と同様にしてリフォーム施工することができる。
【０１００】
〔第６の実施形態〕
次に、図２０を参照して、第６の実施形態の入浴設備について説明する。この第６の実施形態では、一戸建て家屋の一対の大引に浴槽支持部材を取り付け、この浴槽支持部材に組立浴槽体を載置固定している。
【０１０１】
図２０において、図示の組立浴槽体２２２は、第４の実施形態と同様の構成のものでよく、浴槽空間２２４を規定する浴槽ユニット２２６と、段差空間２２８を規定する段差ユニット２３０とを備え、浴槽ユニット２２６及び段差ユニット２３０が相互に連結されて組立浴槽体２２２を構成する。
【０１０２】
この形態では、一方の大引２７２の内側面に（他方の大引２７４に対向する側面）に一方の浴槽支持部材２７６が取り付けられ、他方の大引２７４の内側面（一方の大引２７２に対向する側面）に他方の浴槽支持部材２７８が取り付けられている。浴槽支持部材２７６，２７８は、例えば、Ｌ字状のフレーム材２８０から構成することができ、その側部２８０（内側に突出する側部）が浴槽支持手段として機能する。
【０１０３】
この浴槽体２２２においては、一方の大引き２７２側の浴槽支持部材２７６に対応して、組立浴槽体２２２の片側（図２０において下側）に浴槽被支持手段２８４が設けられ、また他方の大引き２７４側の浴槽支持部材２７８に対応して、組立浴槽体２２２の他側（図２０において上側）に他方の浴槽被支持手段２８６が設けられている。これら浴槽被支持手段２８４，２８６は、上述したと同様に、例えばＬ字状のフレーム材から構成することができる。
【０１０４】
この第６の実施形態の入浴設備では、例えば、次のようにしてリフォーム施工を行うことができる。即ち、リフォーム施工の工事前に、浴槽ユニット２２６及び段差ユニット２３０を所要の通りに組立てて相互に連結した組立浴槽体２２２を予め製作する（浴槽体組立工程）。
【０１０５】
そして、リフォーム施工の際に、居室の畳などを取り除いて一対の大引２７２，２７４（即ち、組立浴槽体２２２を設置する一対の大引）を露出させ、露出した一対の大引２７４，２７６の所定部位に浴槽支持部材２７６，２７８を取り付ける。
その後、この組立浴槽体２２２を一対の大引２７２，２７４間に位置づけて組立浴槽体２２２側の浴槽被支持手段２８４，２８６を大引き２７６，２７８側の浴槽支持部材２７６，２７８に載置する（浴槽体載置工程）。
しかる後、組立浴槽体２２２側の浴槽被支持手段２８４，２８６を大引２７６，２７８側の浴槽支持部材２７６，２７８に固定具（図示せず）などを用いて設置固定し（浴槽体固定工程）、このようにして一対の大引２７２，２７４を利用して組立浴槽体２２２を設置することができる。
尚、この形態では、予め製作した組立浴槽体２２２を一対の大引２７２，２７４（具体的には、浴槽支持部材２７６，２７８）に設置しているが、このような施工に代えて、浴槽ユニット２２６を予め製作し（浴槽ユニット組立工程）、また段差ユニット２３０を予め製作し（段差ユニット組立工程）、このように製作した浴槽ユニット２２６及び段差ユニット２３０を一対の大引２７２，２７４の浴槽支持部材２７６，２７８に載置し（ユニット載置工程）、浴槽ユニット２２６及び段差ユニット２３０をこのように載置した状態で両者を相互に連結して組立浴槽体２２２を最終組み立て（ユニット連結工程）、その後、組立浴槽体２２２（浴槽ユニット２２６及び段差ユニット２３０）を一対の大引２７２，２７４（具体的には、浴槽支持部材２７６，２７８）に設置固定する（浴槽体固定工程）ようにしてもよい。
【０１０６】
以上、本発明に従う入浴設備の各種実施形態について説明したが、本発明はこれらの実施形態に限定されるものではなく、本発明の範囲を逸脱することなく種々の変形乃至修正が可能である。
【０１０７】
例えば、上述した実施形態では、段差ユニット５８（５８Ｂ、５８Ｃ，２３０，２３０Ａ）には、１段の段差が設けられているが、浴槽空間５２の深さが深い場合、或いは段差の高さを低くする場合などにおいては、この段差ユニット５８（５８Ｂ，５８Ｃ，２３０，２３０Ａ）に２段以上の段差を設けるようにしてもよい。
【０１０８】
また、例えば、上述した実施形態では、組立浴槽体２の横側の浴室用床構造体４に洋式便器２８及び洗面台３０を設けているが、浴室空間６が狭い場合などにおいては、この浴室用床構造体４に洋式便器２８及び洗面台３０のいずれか一方のみを設けるようにしてもよく、或いは浴室専用として洋式便器２８及び洗面台３０をなくすようにしてもよい。
【符号の説明】
【０１０９】
２，２Ｂ，２Ｃ，２２２，２２２Ａ  組立浴槽体
４  浴室用床構造体
８  浴室構造体
５４，５４Ｂ，５４Ｃ，２２６，２２６Ａ  浴槽ユニット
５８、５８Ａ，５８Ｂ、５８Ｃ，２３０，２３０Ａ  段差ユニット
６２  補助ユニット
６４，２４４  浴槽用フレーム体
６８，２７２，２７４  大引
７２，７４  浴槽用被支持手段
８２，８２Ａ  浴槽用パネル
９６，２４６  段差用フレーム体
１１０，１１２  段差用被支持手段
１１８，１１８Ａ，１２０，１２０Ａ  段差用パネル
２３６，２３８  浴槽被支持手段
２４０  補助浴槽被支持手段
【図１】
0006587428.tif 000002
【図２】
0006587428.tif 000003
【図３】
0006587428.tif 000004
【図４】
0006587428.tif 000005
【図５】
0006587428.tif 000006
【図６】
0006587428.tif 000007
【図７】
0006587428.tif 000008
【図８】
0006587428.tif 000009
【図９】
0006587428.tif 000010
【図１０】
0006587428.tif 000011
【図１１】
0006587428.tif 000012
【図１２】
0006587428.tif 000013
【図１３】
0006587428.tif 000014
【図１４】
0006587428.tif 000015
【図１５】
0006587428.tif 000016
【図１６】
0006587428.tif 000017
【図１７】
0006587428.tif 000018
【図１８】
0006587428.tif 000019
【図１９】
0006587428.tif 000020
【図２０】
0006587428.tif 000021